【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
支払い要求のデジタル署名を介して購入トランザクションを完了するための方法であって、
商人の販売時点情報管理（ＰＯＳ）システムを支払いプロバイダに登録するための一意の個人識別コードを受信するステップと、
前記ＰＯＳシステムにより、公開鍵部分および秘密鍵部分を含む鍵対を生成するステップと、
前記ＰＯＳシステムにより、前記秘密鍵部分を暗号化するステップと、
前記ＰＯＳシステムにより、前記鍵対の前記公開鍵部分を通信ネットワークを介して送信するステップと、
前記ＰＯＳシステムにより、前記支払いプロバイダに関連付けられたＰＯＳ識別子を前記通信ネットワークから受信するステップと、
前記商人に関連付けられた前記ＰＯＳシステムにおいて支払い要求を生成するステップであって、前記支払い要求がトランザクション額を含む、ステップと、
前記ＰＯＳシステムから前記支払い要求をワイヤレスチャネルを介して送信するステップと、
前記支払い要求を承認する第１デジタル署名を前記ワイヤレスチャネルから受信するステップと、
前記支払い要求を承認する第２デジタル署名を生成するステップと、
前記支払い要求と、前記第１デジタル署名、前記第２デジタル署名、および前記ＰＯＳ識別子を含むデータとを前記通信ネットワークを介して送信することによって、前記購入トランザクションを完了するステップであって、前記購入トランザクションを完了することによって、前記商人に関連付けられた口座に前記トランザクション額を入金させる、ステップと
を有する方法。
【請求項２】
前記支払い要求および前記第１デジタル署名は、音声または近距離通信（ＮＦＣ）標準規格のうちの１つを介して送信される、請求項１に記載の方法。
【請求項３】
前記第１デジタル署名は、消費者に一意に関連付けられた秘密鍵を使用して生成され、
前記第２デジタル署名は、前記商人に一意に関連付けられた秘密鍵を使用して生成される、請求項１に記載の方法。
【請求項４】
前記第１デジタル署名および前記第２デジタル署名は、対応する公開鍵を使用することによって検証可能である、請求項１に記載の方法。
【請求項５】
前記商人に関連付けられた前記口座は、消費者に関連付けられた口座から引き落としを行うことによって入金を受ける、請求項１に記載の方法。
【請求項６】
前記商人に関連付けられた前記口座は、第三者支払いサービスに関連付けられたストアドバリュー口座から入金を受ける、請求項１に記載の方法。
【請求項７】
前記購入トランザクションが完了したことを示す領収書を生成するステップと、前記領収書を送信するステップとをさらに有する、請求項１に記載の方法。
【請求項８】
支払い要求のデジタル署名を介して購入トランザクションを完了するためのシステムであって、
商人の販売時点情報管理（ＰＯＳ）システムを支払いプロバイダに登録するための一意の個人識別コードを受信するための手段と、
前記ＰＯＳシステムにより、公開鍵部分および秘密鍵部分を含む鍵対を生成するための手段と、
前記ＰＯＳシステムにより、前記秘密鍵部分を暗号化するための手段と、
前記ＰＯＳシステムにより、前記鍵対の前記公開鍵部分を通信ネットワークを介して送信するための手段と、
前記ＰＯＳシステムにより、前記支払いプロバイダに関連付けられたＰＯＳ識別子を前記通信ネットワークから受信するための手段と、
前記商人に関連付けられた前記ＰＯＳシステムにおいて支払い要求を生成するための手段であって、前記支払い要求がトランザクション額を含む、手段と、
前記ＰＯＳシステムから前記支払い要求をワイヤレスチャネルを介して送信するための手段と、
前記支払い要求を承認する第１デジタル署名を前記ワイヤレスチャネルから受信するための手段と、
前記支払い要求を承認する第２デジタル署名を生成するための手段と、
前記支払い要求と、前記第１デジタル署名、前記第２デジタル署名、および前記ＰＯＳ識別子を含むデータとを前記通信ネットワークを介して送信することによって、前記購入トランザクションを完了するための手段であって、前記購入トランザクションを完了することによって、前記商人に関連付けられた口座に前記トランザクション額を入金させる、手段と
を具備するシステム。
【請求項９】
一意の個人識別コードを受信するための前記手段、公開鍵部分および秘密鍵部分を含む鍵対を生成するための前記手段、暗号化するための前記手段、前記ＰＯＳシステムを使用して送信するための手段、前記ＰＯＳ識別子を受信するための前記手段、前記ＰＯＳシステムにおいて支払い要求を生成するための前記手段、前記ＰＯＳシステムから前記支払い要求をワイヤレスチャネルを介して送信するための前記手段、前記支払い要求を承認する第１デジタル署名を前記ワイヤレスチャネルから受信するための前記手段、第２デジタル署名を生成するための前記手段、および前記購入トランザクションを完了するための手段は、商人と関連する販売時点情報管理（ＰＯＳ）システムによって提供される、請求項８に記載のシステム。
【請求項１０】
支払い要求のデジタル署名を介して購入トランザクションを完了するための方法であって、
ポータブルコンピューティングデバイス（ＰＣＤ）を支払いプロバイダに登録するための一意の個人識別コードを受信するステップと、
前記ＰＣＤにより、公開鍵部分および秘密鍵部分を含む鍵対を生成するステップと、
前記ＰＣＤにより、前記秘密鍵部分を暗号化するステップと、
前記ＰＣＤにより、前記鍵対の前記公開鍵部分を通信ネットワークを介して送信するステップと、
前記ＰＣＤにより、前記支払いプロバイダに関連付けられたＰＣＤ識別子を前記通信ネットワークから受信するステップと、
消費者に関連付けられた前記ＰＣＤにおいて支払い要求をワイヤレスチャネルを介して受信するステップであって、前記支払い要求がトランザクション額を含む、ステップと、
前記ＰＣＤにより、前記一意の個人識別コードを使用して前記支払い要求を承認するためのデジタル署名を生成し、前記デジタル署名を前記ワイヤレスチャネルを介して送信するステップと、
前記支払い要求と前記デジタル署名および前記ＰＣＤ識別子を含むデータとを前記ＰＣＤから前記通信ネットワークを介して送信することによって、前記購入トランザクションを完了するステップであって、前記購入トランザクションを完了することによって、前記消費者に関連付けられた口座から前記トランザクション額を引き落とす、ステップと
を有する方法。
【請求項１１】
前記支払い要求および前記デジタル署名は、音声または近距離通信（ＮＦＣ）標準規格のうちの１つを介して送信される、請求項１０に記載の方法。
【請求項１２】
前記デジタル署名は、前記消費者に一意に関連付けられた秘密鍵を使用して生成される、請求項１０に記載の方法。
【請求項１３】
支払い要求のデジタル署名を介して購入トランザクションを完了するためのシステムであって、
ポータブルコンピューティングデバイス（ＰＣＤ）を支払いプロバイダに登録するための一意の個人識別コードを受信するための手段と、
前記ＰＣＤにより、公開鍵部分および秘密鍵部分を含む鍵対を生成するための手段と、
前記ＰＣＤにより、前記秘密鍵部分を暗号化するための手段と、
前記ＰＣＤにより、前記鍵対の前記公開鍵部分を通信ネットワークを介して送信するための手段と、
前記ＰＣＤにより、前記支払いプロバイダに関連付けられたＰＣＤ識別子を前記通信ネットワークから受信するための手段と、
消費者に関連付けられた前記ＰＣＤにおいて支払い要求をワイヤレスチャネルを介して受信するための手段であって、前記支払い要求がトランザクション額を含む、手段と、
前記ＰＣＤにより、前記一意の個人識別コードを使用して前記支払い要求を承認するためのデジタル署名を生成し、前記デジタル署名を前記ワイヤレスチャネルを介して送信するための手段と、
前記支払い要求と前記デジタル署名および前記ＰＣＤ識別子を含むデータとを前記ＰＣＤから前記通信ネットワークを介して送信することによって、前記購入トランザクションを完了するための手段であって、前記購入トランザクションを完了することによって、前記消費者に関連付けられた口座から前記トランザクション額を引き落とす、手段と
を具備するシステム。
【請求項１４】
一意の個人識別コードを受信するための前記手段、前記ＰＣＤにより鍵対を生成するための前記手段、暗号化するための前記手段、前記鍵対の前記公開鍵部分を通信ネットワークを介して送信するための前記手段、ＰＣＤ識別子を受信するための前記手段、前記ＰＣＤにおいて支払い要求をワイヤレスチャネルを介して受信するための前記手段、前記一意の個人識別コードを使用してデジタル署名を生成するための前記手段、および前記購入トランザクションを完了するための前記手段は、消費者と関連するポータブルコンピューティングデバイス（ＰＣＤ）によって提供される、請求項１３に記載のシステム。
【請求項１５】
請求項１〜７または１０〜１２のいずれか一項に記載の前記方法の全てのステップを実装するためにコンピュータ実行可能なプログラム命令を有するコンピュータプログラム。